(57)【要約】【課題】画像の読み取り効率を向上させることが可能な画像読取装置、画像形成装置、および、画像読取方法を提供すること。【解決手段】画像形成装置１の画像読取装置１０には、複数の光源を有し、各光源が点灯することにより原稿の主走査方向に伸びる線状光を原稿に照射する光源部１１が備えられ、記憶部１２が、原稿内の画像の読み取りが不要な読取不要領域の設定情報を原稿の画像の読み取り開始前に予め記憶しておき、点灯制御部１３が、記憶部１２に記憶された設定情報に基づいて、各光源の点灯を制御し、移動制御部１４が、記憶部１２に記憶された設定情報に基づいて、原稿上に線状光が照射される位置の原稿に対する相対的な副走査方向への移動速度を制御する。【選択図】図１
2012060428.tif 000002
【特許請求の範囲】
【請求項１】
原稿に照射した光の反射光を検出することにより該原稿の画像を読み取る画像読取装置であって、
複数の光源を有し、各光源が点灯することにより前記原稿の主走査方向に伸びる線状光を該原稿に照射する光源部と、
前記原稿内の画像の読み取りが不要な読取不要領域の設定情報を前記原稿の画像の読み取り開始前に予め記憶する記憶部と、
前記記憶部に記憶された設定情報に基づいて、各光源の点灯を制御する点灯制御部と、
前記記憶部に記憶された前記設定情報に基づいて、前記原稿上に前記線状光が照射される位置の該原稿に対する相対的な副走査方向への移動速度を制御する移動制御部と、
を備えることを特徴とする画像読取装置。
【請求項２】
前記原稿の主走査方向の長さと該主走査方向の長さが同一である読取不要領域が走査される場合に、前記点灯制御部は、前記各光源を消灯の状態とすることを特徴とする請求項１に記載の画像読取装置。
【請求項３】
前記原稿の主走査方向の長さよりも該主走査方向の長さが短い読取不要領域を含んだ領域が走査される場合に、前記点灯制御部は、該読取不要領域に対して光を照射する光源を消灯の状態とし、該読取不要領域以外の領域に対して光を照射する光源を点灯の状態とすることを特徴とする請求項１または２に記載の画像読取装置。
【請求項４】
前記原稿の主走査方向の長さよりも該主走査方向の長さが短い読取不要領域を含んだ領域が走査される場合に、前記移動制御部は、前記移動速度を所定の速度に設定し、前記原稿の主走査方向の長さと該主走査方向の長さが同一である読取不要領域が走査される場合に、前記移動制御部は、前記移動速度を前記所定の速度よりも大きい速度に設定することを特徴とする請求項１〜３のいずれか１項に記載の画像読取装置。
【請求項５】
原稿に照射した光の反射光を検出することにより該原稿の画像を読み取り、読み取った画像に基づいて画像を形成する画像形成装置であって、
複数の光源を有し、各光源が点灯することにより前記原稿の主走査方向に伸びる線状光を該原稿に照射する光源部と、
前記原稿内の画像の読み取りが不要な読取不要領域の設定情報を前記原稿の画像の読み取り開始前に予め記憶する記憶部と、
前記記憶部に記憶された設定情報に基づいて、各光源の点灯を制御する点灯制御部と、
前記記憶部に記憶された前記設定情報に基づいて、前記原稿上に前記線状光が照射される位置の該原稿に対する相対的な副走査方向への移動速度を制御する移動制御部と、
前記点灯制御部および前記移動制御部による制御により前記原稿に線状光を照射することにより読み取られた画像に基づいて画像を形成する画像形成部と、
を備えることを特徴とする画像形成装置。
【請求項６】
原稿に照射した光の反射光を検出することにより該原稿の画像を読み取る画像読取方法であって、
前記原稿の画像の読み取り開始前に、該原稿内の画像の読み取りが不要な読取不要領域の設定情報を記憶部から読み出す情報読出ステップと、
前記情報読出ステップにおいて読み出された設定情報に基づいて、前記原稿の主走査方向に伸びる線状光を該原稿に照射する各光源の点灯を制御する点灯制御ステップと、
前記情報読出ステップにより読み出された設定情報に基づいて、前記原稿上に前記線状光が照射される位置の該原稿に対する相対的な副走査方向への移動速度を制御する移動制御ステップと、
を含むことを特徴とする画像読取方法。
【発明の詳細な説明】
【技術分野】
【０００１】
本発明は、原稿に照射した光の反射光を検出することにより原稿の画像を読み取る画像読取装置、画像読取方法、および、原稿に照射した光の反射光を検出することにより原稿の画像を読み取り、読み取った画像に基づいて画像を形成する画像形成装置に関する。
【背景技術】
【０００２】
従来、コピー機などの画像形成装置では、透明ガラスからなる原稿台に伏せて置かれた原稿に、透明ガラスを介して光を照射し、その反射光を検出することにより原稿画像を読み取ることが行われている。この画像形成装置には、原稿を上から押さえつけるための原稿カバーが設けられている。
【０００３】
原稿のサイズよりも光が照射される領域が大きい場合、原稿カバーが完全に閉じられていないと、原稿の周囲から漏れた光がユーザの目に届き、ユーザに不快感を与えるという問題がある。このような問題を解決するため、例えば特許文献１や特許文献２には、原稿サイズに応じて、光源の点灯を制御する原稿読取装置や画像読取装置が提示されている。
【０００４】
特許文献１の原稿読取装置は、Ａ４、Ｂ５などの原稿サイズを検出し、あるいは、原稿サイズの指定をユーザから受け付け、検出あるいは指定された原稿サイズの情報から、原稿が載置されていない原稿台の部分を判定し、その部分を光の照射対象から除外する。これにより、原稿読取装置は、原稿の周囲から光が漏れることを防止する。
【０００５】
また、特許文献２の画像読取装置は、光を照射することにより原稿を副走査方向に１ラインずつ読み取る。そして、この画像読取装置は、読み取ったラインにおいて黒画素が連続する範囲を原稿が存在しない範囲と判定し、その範囲に光を照射した光源の部分を消灯して、次のラインの読み取りを行う。これにより、この画像読取装置は、原稿の周囲から光が漏れることを防止する。
【先行技術文献】
【特許文献】
【０００６】
【特許文献１】特開２００５−３５４２０５号公報
【特許文献２】特開２００６−２０１２９号公報
【発明の概要】
【発明が解決しようとする課題】
【０００７】
しかしながら、原稿内に画像の読み取りが不要な領域がある場合に、上述した従来技術のように光源の点灯制御を行ったとしても、画像の読み取り効率を上げることが難しいという問題がある。
【０００８】
すなわち、原稿画像を読み取る際には、原稿の主走査方向に伸びる線状光が原稿に対して照射され、画像の読み取りが進むに伴い、その照射位置は原稿の副走査方向に所定の速度で移動する。しかし、従来技術では、原稿内に画像の読み取りが不要な領域がある場合であっても、その領域について、画像の読み取りが必要な領域と同様の照射位置の移動制御が行われるため、画像の読み取り効率を向上させることができないという問題がある。
【０００９】
本発明は、上記課題に鑑み、画像の読み取り効率を向上させることが可能な画像読取装置、画像形成装置、および、画像読取方法を提供することを目的とする。
【課題を解決するための手段】
【００１０】
上記課題を解決する為に、本発明の第１の技術手段は、原稿に照射した光の反射光を検出することにより該原稿の画像を読み取る画像読取装置であって、複数の光源を有し、各光源が点灯することにより前記原稿の主走査方向に伸びる線状光を該原稿に照射する光源部と、前記原稿内の画像の読み取りが不要な読取不要領域の設定情報を前記原稿の画像の読み取り開始前に予め記憶する記憶部と、前記記憶部に記憶された設定情報に基づいて、各光源の点灯を制御する点灯制御部と、前記記憶部に記憶された前記設定情報に基づいて、前記原稿上に前記線状光が照射される位置の該原稿に対する相対的な副走査方向への移動速度を制御する移動制御部と、を備えることを特徴としたものである。
【００１１】
本発明の第２の技術手段は、第１の技術手段において、前記原稿の主走査方向の長さと該主走査方向の長さが同一である読取不要領域が走査される場合に、前記点灯制御部は、前記各光源を消灯の状態とすることを特徴としたものである。
【００１２】
本発明の第３の技術手段は、第１または第２の技術手段において、前記原稿の主走査方向の長さよりも該主走査方向の長さが短い読取不要領域を含んだ領域が走査される場合に、前記点灯制御部は、該読取不要領域に対して光を照射する光源を消灯の状態とし、該読取不要領域以外の領域に対して光を照射する光源を点灯の状態とすることを特徴としたものである。
【００１３】
本発明の第４の技術手段は、第１〜第３のいずれかの技術手段において、前記原稿の主走査方向の長さよりも該主走査方向の長さが短い読取不要領域を含んだ領域が走査される場合に、前記移動制御部は、前記移動速度を所定の速度に設定し、前記原稿の主走査方向の長さと該主走査方向の長さが同一である読取不要領域が走査される場合に、前記移動制御部は、前記移動速度を前記所定の速度よりも大きい速度に設定することを特徴としたものである。
【００１４】
本発明の第５の技術手段は、原稿に照射した光の反射光を検出することにより該原稿の画像を読み取り、読み取った画像に基づいて画像を形成する画像形成装置であって、複数の光源を有し、各光源が点灯することにより前記原稿の主走査方向に伸びる線状光を該原稿に照射する光源部と、前記原稿内の画像の読み取りが不要な読取不要領域の設定情報を前記原稿の画像の読み取り開始前に予め記憶する記憶部と、前記記憶部に記憶された設定情報に基づいて、各光源の点灯を制御する点灯制御部と、前記記憶部に記憶された前記設定情報に基づいて、前記原稿上に前記線状光が照射される位置の該原稿に対する相対的な副走査方向への移動速度を制御する移動制御部と、前記点灯制御部および前記移動制御部による制御により前記原稿に線状光を照射することにより読み取られた画像に基づいて画像を形成する画像形成部と、を備えることを特徴としたものである。
【００１５】
本発明の第６の技術手段は、原稿に照射した光の反射光を検出することにより該原稿の画像を読み取る画像読取方法であって、前記原稿の画像の読み取り開始前に、該原稿内の画像の読み取りが不要な読取不要領域の設定情報を記憶部から読み出す情報読出ステップと、前記情報読出ステップにおいて読み出された設定情報に基づいて、前記原稿の主走査方向に伸びる線状光を該原稿に照射する各光源の点灯を制御する点灯制御ステップと、前記情報読出ステップにより読み出された設定情報に基づいて、前記原稿上に前記線状光が照射される位置の該原稿に対する相対的な副走査方向への移動速度を制御する移動制御ステップと、を含むことを特徴としたものである。
【発明の効果】
【００１６】
本発明によれば、原稿内に画像の読み取りが不要な領域がある場合に、その領域を画像の読み取り開始前から予め設定しておき、その設定に基づいて光の照射対象と光の照射位置の移動速度とを適切に制御するので、画像の読み取り効率を向上させることができる。
【図面の簡単な説明】
【００１７】
【図１】本発明の実施形態に係る画像形成装置の機能ブロック図である。
【図２】光源部の一例について説明する概略図である。
【図３】図１に示した領域データの一例を示す図である。
【図４】読み取り画像に生じる影について説明する図である。
【図５】枠消去モードの読取不要領域の一例を示す図である。
【図６】センター部消去モードの読取不要領域の一例を示す図である。
【図７】枠・センター部消去モードの読取不要領域の一例を示す図である。
【図８】画像形成装置が行う画像読取処理の処理手順の一例について説明するフローチャートである。
【図９】枠消去モードの原稿読取処理の処理手順の一例について説明するフローチャートである。
【図１０】センター部消去モードの原稿読取処理の処理手順の一例について説明するフローチャートである。
【図１１】枠・センター部消去モードの原稿読取処理の処理手順の一例について説明するフローチャートである。
【発明を実施するための形態】
【００１８】
以下、本発明の実施形態について図面を参照して詳細に説明する。図１は、本発明の実施形態に係る画像形成装置１の機能ブロック図である。図１に示すように、画像形成装置１は、入力部２、表示部３、画像形成部４、通信処理部５、画像読取装置１０を備える。
【００１９】
入力部２は、ユーザから各種情報の入力を受け付けるボタンなどの入力装置である。表示部３は、各種情報を表示する液晶ディスプレイなどの表示装置である。なお、入力部２と表示部３は、タッチパネルなど、入力装置と表示装置とを兼ねた装置で構成することとしてもよい。
【００２０】
画像形成部４は、画像読取装置１０により読み取られた画像を記録用紙などに印刷する印刷装置である。通信処理部５は、画像形成装置１とネットワークを介して接続されたパーソナルコンピュータなどの装置との間で、画像読取装置１０により読み取られた画像などのデータを送受信する通信装置である。
【００２１】
画像読取装置１０は、読み取り対象となる原稿に光を照射し、その反射光を検出することにより原稿の画像を読み取る装置である。この画像読取装置１０は、光源部１１、記憶部１２、点灯制御部１３、移動制御部１４、画像読取部１５を備える。
【００２２】
光源部１１は、並列する複数の光源を有し、各光源が点灯することにより原稿に対して線状光を照射する光源部である。図２は、光源部１１の一例について説明する概略図である。図２に示すように、この光源部１１は、複数の発光ダイオード（Light Emitting Diode, LED）２０が所定の方向に一列に配置されて形成されている。この方向は、主走査方向と呼ばれる。光源部１１は、原稿２１に対して主走査方向と垂直な方向に移動する。主走査方向と垂直な方向は、副走査方向と呼ばれる。光源部１１が副走査方向に距離Ｌだけ移動すると、原稿２１上の線状光が照射される位置が副走査方向に距離Ｌだけ移動する。
【００２３】
後に詳しく説明するように、原稿２１内に画像の読み取りが不要な読取不要領域２２がある場合には、その読取不要領域２２に光を照射する発光ダイオード２０の部分２３ａ、２３ｂが消灯される。これにより、画像読取装置１０の省電力化が図れる。
【００２４】
図１の説明に戻ると、記憶部１２は、メモリやハードディスク装置などの記憶装置である。この記憶部１２は、画像データ１２ａと領域データ１２ｂを記憶する。画像データ１２ａは、画像読取部１５により読み取られた画像のデータである。領域データ１２ｂは、画像の読み取り対象とする読取領域、および、画像の読み取りが不要である読取不要領域の情報を登録したデータである。
【００２５】
図３は、図１に示した領域データ１２ｂの一例を示す図である。図３に示すように、領域データ１２ｂには、モード、領域識別符号、座標、領域種別の各情報が登録されている。
【００２６】
モードは、厚い本などの画像を読み取る場合に、読み取られた画像に生じる影の部分を消去する消去モードの種別の情報である。図４は、読み取り画像に生じる影について説明する図である。図４に示すように、原稿を載せる原稿台３０に厚みのある本を載せる場合、原稿台３０から本の中央部３１や端部３２ａ、３２ｂが浮き上がってしまう。画像形成装置１は、透明な原稿台３０の下方から本に光を照射し、照射した光の反射光を原稿台３０の下方において検出することにより画像を読み取る。しかし、原稿台３０から浮き上がった本の中央部３１や端部３２ａ、３２ｂでは、反射光の強度が小さくなるため、読み取った画像に影が生じることとなる。
【００２７】
図３に示す領域データ１２ｂでは、モードとして、「枠消去モード」、「センター部消去モード」、「枠・センター部消去モード」が登録されている。「枠消去モード」とは、原稿の周囲に生じる影の部分を消去するモードであり、「センター部消去モード」とは、原稿の中央に生じる影の部分を消去するモードであり、「枠・センター部消去モード」とは、原稿の周囲および中央に生じる影の部分を消去するモードである。
【００２８】
領域識別符号は、原稿に含まれる各矩形領域を識別する符号である。各矩形領域は、画像を読み取る読取領域と、画像の読み取りが不要な読取不要領域とに分類される。
【００２９】
図５は、枠消去モードの読取不要領域の一例を示す図である。図６は、センター部消去モードの読取不要領域の一例を示す図である。図７は、枠・センター部消去モードの読取不要領域の一例を示す図である。
【００３０】
図５に示す枠消去モードでは、領域識別符号Ｃに対応する領域が読取領域であり、領域識別符号Ａ、Ｂ、Ｄ、Ｅに対応する領域が読取不要領域である。図６に示すセンター部消去モードでは、領域識別符号Ａ、Ｃに対応する領域が読取領域であり、領域識別符号Ｂに対応する領域が読取不要領域である。図７に示す枠・センター部消去モードでは、領域識別符号Ｃ、Ｇに対応する矩形領域が読取領域であり、領域識別符号Ａ、Ｂ、Ｄ、Ｅ、Ｆ、Ｈ、Ｉに対応する矩形領域が読取不要領域である。以降、領域識別符号Ｘ（Ｘは、Ａ〜Ｉ）に対応する読取領域、あるいは、読取不要領域を、単に読取領域Ｘ、あるいは、読取不要領域Ｘと呼ぶ。
【００３１】
図３の説明に戻ると、座標は、各矩形領域の４つの角の座標の情報である。ここで、座標中ｘ３、ｙ３の値は、それぞれ原稿の副走査方向の長さ、主走査方向の長さに相当するものであるが、さまざまなサイズの原稿に対して本実施形態に係る画像読取処理を適用するため、各サイズに応じて読取領域および読取不要領域の座標を設定した領域データ１２ｂを記憶部１２に記憶しておくことができる。領域種別は、各矩形領域が読取領域であるのか、読取不要領域であるのかを示す情報である。
【００３２】
図１の説明に戻ると、点灯制御部１３は、図５〜７に示した読取不要領域の種別に応じて、光源部１１に備えられた各光源の点灯を制御する制御部である。具体的には、この点灯制御部１３は、読み取り対象とする画像領域に読取不要領域がない場合（例えば、図６の読取領域Ａ、Ｃの場合）、光源部１１に備えられた発光ダイオードのすべてを点灯の状態にする。また、点灯制御部１３は、読取不要領域の主走査方向の長さが、原稿の主走査方向の長さと同じである場合に、光源部１１に備えられたすべての発光ダイオードを消灯の状態にする。これにより、画像読取装置１０、画像形成装置１の省電力化を図ることができる。
【００３３】
例えば、図５の読取不要領域Ａ、Ｅ、図６の読取不要領域Ｂ、図７の読取不要領域Ａ、Ｅ、Ｉにおいては、読取不要領域の主走査方向の長さはｙ３であり、原稿の主走査方向の長さｙ３と同じであるので、これらの読取不要領域を走査する際には光源部１１に備えられたすべての発光ダイオードを消灯の状態にする。
【００３４】
また、点灯制御部１３は、読取不要領域の主走査方向の長さが、原稿の主走査方向の長さよりも短い場合に、光源部１１に備えられた発光ダイオードのうち、その読取不要領域に対して光を照射する位置にある発光ダイオードを消灯の状態にする。これにより、画像読取装置１０、画像形成装置１の省電力化を図ることができる。
【００３５】
例えば、図５の読取不要領域Ｂ、Ｄ、図７の読取不要領域Ｂ、Ｄ、Ｆ、Ｈにおいては、読取不要領域の主走査方向の長さはｙ１＋ｙ３−ｙ２であり、原稿の主走査方向の長さｙ３よりも短いので、これらの読取不要領域を走査する際には、図２で説明したように、光源部１１に備えられた発光ダイオードのうち、これらの読取不要領域に対して光を照射する位置にある発光ダイオードを消灯の状態にする。
【００３６】
移動制御部１４は、図５〜７に示した読取不要領域の種別に応じて、原稿に対する光源部１１の移動速度を制御する制御部である。具体的には、この移動制御部１４は、読取不要領域がない場合（例えば、図６の読取領域Ａ、Ｃの場合）、原稿画像の読み取りに適した所定の速度（以下、この速度を基準速度と呼ぶ。）で光源部１１を移動させる。また、移動制御部１４は、読取不要領域の主走査方向の長さが、原稿の主走査方向の長さと同じである場合に、原稿に対する光源部１１の移動速度を基準速度よりも大きな速度に設定し、設定した速度で光源部１１を移動させる。これにより、原稿画像の読み取りがより迅速になされ、画像の読み取り効率を向上させることができるようになる。
【００３７】
例えば、図５の読取不要領域Ａ、Ｅ、図６の読取不要領域Ｂ、図７の読取不要領域Ａ、Ｅ、Ｉにおいては、読取不要領域の主走査方向の長さはｙ３であり、原稿の主走査方向の長さｙ３と同じであるので、これらの読取不要領域を走査する際には光源部１１の移動速度は基準速度よりも大きい速度に設定される。
【００３８】
なお、読取不要領域の主走査方向の長さが、原稿の主走査方向の長さよりも短い場合（例えば、図５の読取領域Ｃと読取不要領域Ｂ、Ｄ、図７の読取領域Ｃと読取不要領域Ｂ、Ｄ、あるいは、図７の読取領域Ｇと読取不要領域Ｆ、Ｇが走査対象である場合）、移動制御部１４は、光源部１１を画像の読み取りに適した基準速度で移動させる。これは、読取領域（図５の読取領域Ｃ、図７の読取領域Ｃ、Ｇ）については原稿の画像を読み取る必要があるためである。
【００３９】
図１の説明に戻ると、画像読取部１５は、原稿の画像を読み取る読取部である。この画像読取部１５は、ＣＣＤ（Charge Coupled Device）イメージセンサを備え、光源部１１が原稿に照射した線状光の反射光をＣＣＤイメージセンサで検出することにより原稿のサイズを判定し、さらに画像のデータを取得する。そして、画像読取部１５は、取得した画像のデータを記憶部１２に画像データ１２ａとして記憶する。
【００４０】
次に、画像形成装置１が行う画像読取処理について説明する。図８は、画像形成装置１が行う画像読取処理の処理手順の一例について説明するフローチャートである。図８に示すように、まず、画像形成装置１の画像読取部１５は、原稿に照射した線状光の反射光を検出することにより原稿のサイズを判定する（ステップＳ１０１）。ここでは、画像を読み取る原稿のサイズに合わせて、領域データ１２ｂの設定がなされているものとする。すなわち、領域データ１２ｂのｘ３、ｙ３の値（図５〜７に示した座標ｘ３、ｙ３の値）は、それぞれ原稿の副走査方向の長さ、および、主走査方向の長さに一致するよう設定されているものとする。
【００４１】
ステップＳ１０１の後、画像読取部１５は、領域データ１２ｂに登録されているモードの情報を読み出し、読み出した情報を表示部３に表示して、入力部２を介したユーザからのモードの選択を受け付ける（ステップＳ１０２）。
【００４２】
その後、画像読取部１５は、選択されたモードが枠消去モードであるか否かを調べる（ステップＳ１０３）。選択されたモードが枠消去モードである場合（ステップＳ１０３においてＹＥＳの場合）、画像読取装置１０の各部は、枠消去モードの原稿読取処理を行う（ステップＳ１０４）。この原稿読取処理については、図９を用いて後に詳しく説明する。
【００４３】
続いて、画像読取部１５は、読み取った画像のデータを記憶部１２に画像データ１２ａとして記憶する（ステップＳ１０５）。そして、画像読取部１５は、通常モードにモードを復帰させ（ステップＳ１０６）、この画像読取処理を終了する。ここで、通常モードとは、光源部１１を基準速度で移動させつつ、光源部１１に備えられた発光ダイオードのすべてを点灯の状態にして原稿画像の読み取りを行うモードである。
【００４４】
選択されたモードが枠消去モードでない場合（ステップＳ１０３においてＮＯの場合）、画像読取部１５は、選択されたモードがセンター部消去モードであるか否かを調べる（ステップＳ１０７）。選択されたモードがセンター部消去モードである場合（ステップＳ１０７においてＹＥＳの場合）、画像読取装置１０の各部は、センター部消去モードの原稿読取処理を行う（ステップＳ１０８）。この原稿読取処理については、図１０を用いて後に詳しく説明する。その後、画像読取部１５は、ステップＳ１０５以降の処理を実行する。
【００４５】
選択されたモードがセンター部消去モードでない場合（ステップＳ１０７においてＮＯの場合）、画像読取部１５は、選択されたモードが枠・センター部消去モードであるか否かを調べる（ステップＳ１０９）。選択されたモードが枠・センター部消去モードである場合（ステップＳ１０９においてＹＥＳの場合）、画像読取装置１０の各部は、枠・センター部消去モードの原稿読取処理を行う（ステップＳ１１０）。この原稿読取処理については、図１１を用いて後に詳しく説明する。その後、画像読取部１５は、ステップＳ１０５以降の処理を実行する。
【００４６】
選択されたモードが枠・センター部消去モードでない場合（ステップＳ１０９においてＮＯの場合）、画像読取部１５は、この画像読取処理がキャンセルされたか否かを調べる（ステップＳ１１１）。画像読取処理がキャンセルされた場合（ステップＳ１１１においてＹＥＳの場合）、この画像読取処理はそのまま終了する。画像読取処理がキャンセルされていない場合（ステップＳ１１１においてＮＯの場合）、ステップＳ１０２に移行して、画像読取部１５は、ユーザによるモードの選択を受け付ける。
【００４７】
次に、図８に示した枠消去モードの原稿読取処理について説明する。図９は、枠消去モードの原稿読取処理の処理手順の一例について説明するフローチャートである。枠消去モードとは、図５に示した読取不要領域Ａ、Ｂ、Ｄ、Ｅに対応する原稿領域の画像を画像データに含めずに、読取領域Ｃに対応する原稿領域から読み取った画像を用いて画像データを生成するモードである。
【００４８】
図９に示すように、点灯制御部１３は、記憶部１２から領域データ１２ｂを取得する（ステップＳ２０１）。そして、点灯制御部１３は、読取不要領域Ａを走査する際、光源部１１の全体を消灯の状態とし、図５に示した読取不要領域Ａに対する光の照射を行わない（ステップＳ２０２）。ここで、読取不要領域Ａは、その主法線方向の長さｙ３が原稿の主走査方向の長さと一致する領域である。
【００４９】
さらに、移動制御部１４は、光源部１１の移動速度を基準速度よりも大きい所定の速度に設定する（ステップＳ２０３）。そして、移動制御部１４は、設定した速度で副走査方向に光源部１１を移動させる処理を開始する（ステップＳ２０４）。
【００５０】
その後、点灯制御部１３は、光源部１１が読取不要領域Ａの幅ｘ１だけ副走査方向に移動したか否かを検出する（ステップＳ２０５）。光源部１１が読取不要領域Ａの幅ｘ１だけ副走査方向に移動していない場合（ステップＳ２０５においてＮＯの場合）、点灯制御部１３は、ステップＳ２０５に戻って再度この検出処理を行う。
【００５１】
光源部１１が読取不要領域Ａの幅だけ副走査方向に移動した場合（ステップＳ２０５においてＹＥＳの場合）、点灯制御部１３は、次に読取領域Ｃおよび読取不要領域Ｂ、Ｄを走査するが、その際に点灯制御部１３は、読取領域Ｃに対して光を照射する位置にある光源部１１の部分を点灯の状態にし、読取不要領域Ｂ、Ｄに対して光を照射する位置にある光源部１１の部分を消灯の状態にする（ステップＳ２０６）。ここで、読取不要領域Ｂ、Ｄは、それらの主走査方向における長さｙ１＋ｙ３−ｙ２が、原稿の主走査方向の長さｙ３よりも短い領域である。
【００５２】
そして、移動制御部１４は、読取不要領域Ｂ、Ｄに挟まれた読取領域Ｃにおいて原稿の画像を読み取るため、光源部１１の移動速度を基準速度に設定する（ステップＳ２０７）。その後、画像読取部１５は、読取領域Ｃ、および、読取不要領域Ｂ、Ｄに対応する領域内の原稿画像の読み取り処理を実行する（ステップＳ２０８）。
【００５３】
続いて、点灯制御部１３は、光源部１１が読取領域Ｃの幅ｘ２−ｘ１だけ副走査方向に移動したか否かを検出する（ステップＳ２０９）。光源部１１が読取領域Ｃの幅ｘ２−ｘ１だけ副走査方向に移動していない場合（ステップＳ２０９においてＮＯの場合）、点灯制御部１３は、ステップＳ２０８に戻って原稿の読み取り処理を継続する。
【００５４】
光源部１１が読取領域Ｃの幅ｘ２−ｘ１だけ副走査方向に移動した場合（ステップＳ２０９においてＹＥＳの場合）、点灯制御部１３は、次に読取不要領域Ｅを走査するが、その際に点灯制御部１３は、光源部１１の全体を消灯の状態にする（ステップＳ２１０）。ここで、読取不要領域Ｅは、その主走査方向における長さｙ３が、原稿の主走査方向の長さと一致する領域である。
【００５５】
その後、移動制御部１４は、光源部１１の移動速度を基準速度よりも大きい所定の速度に設定し、設定した速度で光源部１１を移動させる（ステップＳ２１１）。そして、点灯制御部１３は、光源部１１が読取不要領域Ｅの幅ｘ３−ｘ２だけ副走査方向に移動したか否かを検出する（ステップＳ２１２）。光源部１１が読取不要領域Ｅの幅ｘ３−ｘ２だけ副走査方向に移動していない場合（ステップＳ２１２においてＮＯの場合）、点灯制御部１３は、ステップＳ２１２に戻って再度この検出処理を行う。
【００５６】
光源部１１が読取不要領域Ｅの幅ｘ３−ｘ２だけ副走査方向に移動した場合（ステップＳ２１２においてＹＥＳの場合）、移動制御部１４は、光源部１１の移動を終了させる（ステップＳ２１３）。そして、画像読取部１５は、読み取った原稿画像において、読取不要領域Ｂ、Ｄに対応する領域内の画像を消去する枠消去処理を実行し（ステップＳ２１４）、この原稿読取処理を終了する。
【００５７】
次に、図８に示したセンター部消去モードの原稿読取処理について説明する。図１０は、センター部消去モードの原稿読取処理の処理手順の一例について説明するフローチャートである。センター部消去モードとは、図６に示した読取不要領域Ｂに対応する原稿領域の画像を画像データに含めずに、読取領域Ａ、Ｃに対応する原稿領域から読み取った画像を用いて画像データを生成するモードである。
【００５８】
図１０に示すように、点灯制御部１３は、記憶部１２から領域データ１２ｂを取得する（ステップＳ３０１）。そして、点灯制御部１３は、光源部１１の全体を点灯の状態にする（ステップＳ３０２）。続いて、移動制御部１４は、光源部１１の移動速度を基準速度に設定する（ステップＳ３０３）。その後、移動制御部１４は、設定した速度で副走査方向に光源部１１を移動させる処理を開始する（ステップＳ３０４）。そして、画像読取部１５は、図６に示した読取領域Ａに対応する領域内の原稿画像の読み取り処理を実行する（ステップＳ３０５）。
【００５９】
そして、点灯制御部１３は、光源部１１が読取領域Ａの幅ｘ４だけ副走査方向に移動したか否かを検出する（ステップＳ３０６）。光源部１１が読取領域Ａの幅ｘ４だけ副走査方向に移動していない場合（ステップＳ３０６においてＮＯの場合）、点灯制御部１３は、ステップＳ３０５に戻って原稿読取処理を継続する。
【００６０】
光源部１１が読取領域Ａの幅ｘ４だけ副走査方向に移動した場合（ステップＳ３０６においてＹＥＳの場合）、点灯制御部１３は、次に読取不要領域Ｂを走査するが、その際に点灯制御部１３は、光源部１１の全体を消灯の状態とし、読取不要領域Ｂに対する光の照射を行わない（ステップＳ３０７）。ここで、読取不要領域Ｂは、その主走査方向における長さｙ３が原稿の主走査方向の長さｙ３と一致する領域である。
【００６１】
さらに、移動制御部１４は、光源部１１の移動速度を基準速度よりも大きい所定の速度に設定し、設定した速度で光源部１１を移動させる（ステップＳ３０８）。その後、点灯制御部１３は、光源部１１が読取不要領域Ｂの幅ｘ５−ｘ４だけ副走査方向に移動したか否かを検出する（ステップＳ３０９）。光源部１１が読取不要領域Ｂの幅ｘ５−ｘ４だけ副走査方向に移動していない場合（ステップＳ３０９においてＮＯの場合）、点灯制御部１３は、ステップＳ３０９に戻って再度この検出処理を行う。
【００６２】
光源部１１が読取不要領域Ｂの幅ｘ５−ｘ４だけ副走査方向に移動した場合（ステップＳ３０９においてＹＥＳの場合）、点灯制御部１３は、光源部１１の全体を点灯の状態にする（ステップＳ３１０）。続いて、移動制御部１４は、光源部１１の移動速度を基準速度に設定する（ステップＳ３１１）。そして、画像読取部１５は、読取領域Ｃに対応する領域内の原稿画像の読み取り処理を実行する（ステップＳ３１２）。
【００６３】
その後、点灯制御部１３は、光源部１１が読取領域Ｃの幅ｘ３−ｘ５だけ副走査方向に移動したか否かを検出する（ステップＳ３１３）。光源部１１が読取領域Ｃの幅ｘ３−ｘ５だけ副走査方向に移動していない場合（ステップＳ３１３においてＮＯの場合）、点灯制御部１３は、ステップＳ３１２に戻って原稿読取処理を継続する。
【００６４】
光源部１１が読取領域Ｃの幅ｘ３−ｘ５だけ副走査方向に移動した場合（ステップＳ３１３においてＹＥＳの場合）、移動制御部１４は、光源部１１の移動を終了させ（ステップＳ３１４）、この原稿読取処理を終了する。
【００６５】
次に、図８に示した枠・センター部消去モードの原稿読取処理について説明する。図１１は、枠・センター部消去モードの原稿読取処理の処理手順の一例について説明するフローチャートである。枠・センター部消去モードとは、図７に示した読取不要領域Ａ、Ｂ、Ｄ、Ｅ、Ｆ、Ｈ、Ｉに対応する原稿領域の画像を画像データに含めずに、読取領域Ｃ、Ｇに対応する原稿領域から読み取った画像を用いて画像データを生成するモードである。
【００６６】
図１１に示すように、点灯制御部１３は、記憶部１２から領域データ１２ｂを取得する（ステップＳ４０１）。そして、点灯制御部１３は、読取不要領域Ａを走査する際、光源部１１の全体を消灯の状態とし、読取不要領域Ａに対する光の照射を行わない（ステップＳ４０２）。ここで、読取不要領域Ａは、その主法線方向の長さｙ３が原稿の主走査方向の長さと一致する領域である。
【００６７】
さらに、移動制御部１４は、光源部１１の移動速度を基準速度よりも大きい所定の速度に設定する（ステップＳ４０３）。そして、移動制御部１４は、設定した速度で副走査方向に光源部１１を移動させる処理を開始する（ステップＳ４０４）。
【００６８】
その後、点灯制御部１３は、光源部１１が読取不要領域Ａの幅ｘ１だけ副走査方向に移動したか否かを検出する（ステップＳ４０５）。光源部１１が読取不要領域Ａの幅ｘ１だけ副走査方向に移動していない場合（ステップＳ４０５においてＮＯの場合）、点灯制御部１３は、ステップＳ４０５に戻って再度この検出処理を行う。
【００６９】
光源部１１が読取不要領域Ａの幅ｘ１だけ副走査方向に移動した場合（ステップＳ４０５においてＹＥＳの場合）、点灯制御部１３は、次に読取領域Ｃおよび読取不要領域Ｂ、Ｄを走査するが、その際に点灯制御部１３は、読取領域Ｃに対して光を照射する位置にある光源部１１の部分を点灯の状態にし、読取不要領域Ｂ、Ｄに対して光を照射する位置にある光源部１１の部分を消灯の状態にする（ステップＳ４０６）。ここで、読取不要領域Ｂ、Ｄは、それらの主走査方向における長さｙ１＋ｙ３−ｙ２が、原稿の主走査方向の長さｙ３よりも短い領域である。
【００７０】
そして、移動制御部１４は、読取不要領域Ｂ、Ｄに挟まれた読取領域Ｃにおいて原稿の画像を読み取るため、光源部１１の移動速度を基準速度に設定する（ステップＳ４０７）。その後、画像読取部１５は、読取領域Ｃ、および、読取不要領域Ｂ、Ｄに対応する領域内の原稿画像の読み取り処理を実行する（ステップＳ４０８）。
【００７１】
続いて、点灯制御部１３は、光源部１１が読取領域Ｃの幅ｘ４−ｘ１だけ副走査方向に移動したか否かを検出する（ステップＳ４０９）。光源部１１が読取領域Ｃの幅ｘ４−ｘ１だけ副走査方向に移動していない場合（ステップＳ４０９においてＮＯの場合）、点灯制御部１３は、ステップＳ４０８に戻って原稿読取処理を継続する。
【００７２】
光源部１１が読取領域Ｃの幅ｘ４−ｘ１だけ副走査方向に移動した場合（ステップＳ４０９においてＹＥＳの場合）、点灯制御部１３は、次に読取不要領域Ｅを走査するが、その際に点灯制御部１３は、光源部１１の全体を消灯の状態にする（ステップＳ４１０）。ここで、読取不要領域Ｅは、その主走査方向における長さｙ３が、原稿の主走査方向の長さｙ３と一致する領域である。
【００７３】
その後、移動制御部１４は、光源部１１の移動速度を基準速度よりも大きい所定の速度に設定し、設定した速度で光源部１１を移動させる（ステップＳ４１１）。そして、点灯制御部１３は、光源部１１が読取不要領域Ｅの幅ｘ５−ｘ４だけ副走査方向に移動したか否かを検出する（ステップＳ４１２）。光源部１１が読取不要領域Ｅの幅ｘ５−ｘ４だけ副走査方向に移動していない場合（ステップＳ４１２においてＮＯの場合）、点灯制御部１３は、ステップＳ４１２に戻って再度この検出処理を行う。
【００７４】
光源部１１が読取不要領域Ｅの幅ｘ５−ｘ４だけ副走査方向に移動した場合（ステップＳ４１２においてＹＥＳの場合）、点灯制御部１３は、次に読取領域Ｇおよび読取不要領域Ｆ、Ｈを走査するが、その際に点灯制御部１３は、読取領域Ｇに対して光を照射する位置にある光源部１１の部分を点灯の状態にし、読取不要領域Ｆ、Ｈに対して光を照射する位置にある光源部１１の部分を消灯の状態にする（ステップＳ４１３）。ここで、読取不要領域Ｆ、Ｈは、それらの主走査方向における長さｙ１＋ｙ３−ｙ２が、原稿の主走査方向の長さｙ３よりも短い領域である。
【００７５】
そして、移動制御部１４は、読取不要領域Ｆ、Ｈに挟まれた読取領域Ｇにおいて原稿の画像を読み取るため、光源部１１の移動速度を基準速度に設定する（ステップＳ４１４）。その後、画像読取部１５は、読取領域Ｇ、および、読取不要領域Ｆ、Ｈに対応する領域内の原稿画像の読み取り処理を実行する（ステップＳ４１５）。
【００７６】
続いて、点灯制御部１３は、光源部１１が読取領域Ｇの幅ｘ２−ｘ５だけ副走査方向に移動したか否かを検出する（ステップＳ４１６）。光源部１１が読取領域Ｇの幅ｘ２−ｘ５だけ副走査方向に移動していない場合（ステップＳ４１６においてＮＯの場合）、点灯制御部１３は、ステップＳ４１５に戻って原稿読取処理を継続する。
【００７７】
光源部１１が読取領域Ｇの幅ｘ２−ｘ５だけ副走査方向に移動した場合（ステップＳ４１６においてＹＥＳの場合）、点灯制御部１３は、次に読取不要領域Ｉを走査するが、光源部１１の全体を消灯の状態にする（ステップＳ４１７）。ここで、読取不要領域Ｉは、その主走査方向における長さｙ３が、原稿の主走査方向の長さｙ３と一致する領域である。
【００７８】
その後、移動制御部１４は、光源部１１の移動速度を基準速度よりも大きい所定の速度に設定し、設定した速度で光源部１１を移動させる（ステップＳ４１８）。そして、点灯制御部１３は、光源部１１が読取不要領域Ｉの幅ｘ３−ｘ２だけ副走査方向に移動したか否かを検出する（ステップＳ４１９）。光源部１１が読取不要領域Ｉの幅ｘ３−ｘ２だけ副走査方向に移動していない場合（ステップＳ４１９においてＮＯの場合）、点灯制御部１３は、ステップＳ４１９に戻って再度この検出処理を行う。
【００７９】
光源部１１が読取不要領域Ｉの幅ｘ３−ｘ２だけ副走査方向に移動した場合（ステップＳ４１９においてＹＥＳの場合）、移動制御部１４は、光源部１１の移動を終了させる（ステップＳ４２０）。そして、画像読取部１５は、読み取った原稿画像において、読取不要領域Ｂ、Ｄ、Ｆ、Ｈに対応する領域内の画像を消去する枠消去処理を実行し（ステップＳ４２１）、この原稿読取処理を終了する。
【００８０】
なお、本発明は上述した実施形態に限定されず、本発明の要旨を逸脱しない範囲内で各種の変形、修正が可能である。例えば、上記実施の形態では、画像読取装置１０は、光源部１１を原稿の副走査方向に移動させることとしたが、原稿を光源部１１に対して副走査方向に移動させることにより線状光の照射位置を変化させて、原稿の画像を読み取ることとしてもよい。
【００８１】
また、上記実施の形態では、矩形状の原稿の長辺が副走査方向と平行に、短辺が主走査方向と平行になる場合について説明したが、矩形状の原稿の短辺が副走査方向と平行に、長辺が主走査方向と平行になる場合についても同様に本発明を適用することができる。
【００８２】
さらに、上記実施の形態では、画像読取装置１０が、読み取った原稿画像を記録用紙などに印刷する画像形成装置１に設けられることとしたが、これに限定されず、画像読取装置１０が、スキャナ装置やファックス装置などの他の装置に設けられることとしてもよい。
【符号の説明】
【００８３】
１…画像形成装置、２…入力部、３…表示部、４…画像形成部、５…通信処理部、１０…画像読取装置、１１…光源部、１２…記憶部、１２ａ…画像データ、１２ｂ…領域データ、１３…点灯制御部、１４…移動制御部、１５…画像読取部、２０，２３ａ，２３ｂ…発光ダイオード、２１…原稿、２２…読取不要領域、３０…原稿台、３１…本の中央部、３２ａ，３２ｂ…本の端部
【図１】
2012060428.tif 000003
【図２】
2012060428.tif 000004
【図３】
2012060428.tif 000005
【図４】
2012060428.tif 000006
【図５】
2012060428.tif 000007
【図６】
2012060428.tif 000008
【図７】
2012060428.tif 000009
【図８】
2012060428.tif 000010
【図９】
2012060428.tif 000011
【図１０】
2012060428.tif 000012
【図１１】
2012060428.tif 000013